【手続補正書】
【提出日】平成23年5月12日(2011.5.12)
【手続補正１】
【補正対象書類名】明細書
【補正対象項目名】０００４
【補正方法】変更
【補正の内容】
【０００４】
本開示の一側面は、信号Ａの遅延された形態Ａ（ｍ）を生成するための遅延ラインであって、Ａ（ｍ）はＡに対してｍ遅延単位（unit）だけ遅延されている、遅延ラインと、Ａ（ｍ）と信号Ｂ［Ａ（ｍ）］との間のある時刻における差分をサンプリングするためのサンプリング機構であって、Ｂ［Ａ（ｍ）］はＡに対して少なくとも１遅延単位だけ遅延されている、サンプリング機構と、を具備する時間ディジタル・コンバータ（ＴＤＣ）を提供する。
【手続補正２】
【補正対象書類名】明細書
【補正対象項目名】０００５
【補正方法】変更
【補正の内容】
【０００５】
本開示の別の側面は、信号Ａの少なくとも１つの遅延された形態Ａ（ｍ）を生成することであって、Ａ（ｍ）はＡに対してｍ遅延単位（unit）だけ遅延されている、生成することと、Ａ（ｍ）と信号Ｂ［Ａ（ｍ）］との間のある時刻における差分をサンプリングすることであって、Ｂ［Ａ（ｍ）］はＡに対して少なくとも１遅延単位だけ遅延されている、サンプリングすることと、を具備する、時間間隔をディジタル表現に変換するための方法を提供する。
【手続補正３】
【補正対象書類名】明細書
【補正対象項目名】０００６
【補正方法】変更
【補正の内容】
【０００６】
本開示のさらに別の側面は、信号Ａの少なくとも１つの遅延された形態Ａ（ｍ）を生成するための手段であって、Ａ（ｍ）はＡに対してｍ遅延単位（unit）だけ遅延されている、生成するための手段と、Ａ（ｍ）と信号Ｂ［Ａ（ｍ）］との間のある時刻における差分をサンプリングするための手段であって、Ｂ［Ａ（ｍ）］はＡに対して少なくとも１遅延単位だけ遅延されている、サンプリングするための手段と、を具備する、時間ディジタル・コンバータ（ＴＤＣ）を提供する。
【手続補正４】
【補正対象書類名】明細書
【補正対象項目名】０００７
【補正方法】変更
【補正の内容】
【０００７】
本開示のさらに別の側面は、コンピュータに、信号Ａの少なくとも１つの遅延された形態Ａ（ｍ）を生成させるためのコードであって、Ａ（ｍ）はＡに対してｍ遅延単位（unit）だけ遅延されている、生成させるためのコードと、コンピュータに、Ａ（ｍ）と信号Ｂ［Ａ（ｍ）］との間のある時刻における差分をサンプリングさせるためのコードであって、Ｂ［Ａ（ｍ）］はＡに対して少なくとも１遅延単位だけ遅延されている、サンプリングさせるためのコードと、を具備するコンピュータ可読媒体を具備する、時間間隔をディジタル表現に変換するためのコンピュータ・プログラム製品を提供する。
【手続補正５】
【補正対象書類名】特許請求の範囲
【補正対象項目名】全文
【補正方法】変更
【補正の内容】
【特許請求の範囲】
【請求項１】
信号Ａの少なくとも１つの遅延された形態Ａ（ｍ）を生成するための遅延ラインであって、Ａ（ｍ）はＡに対してｍ遅延単位（unit）だけ遅延されている、遅延ラインと、
Ａ（ｍ）と信号Ｂ［Ａ（ｍ）］との間のある時刻における差分をサンプリングするためのサンプリング機構であって、Ｂ［Ａ（ｍ）］はＡに対して少なくとも１遅延単位だけ遅延されている、サンプリング機構と、
を具備する時間ディジタル・コンバータ（ＴＤＣ）。
【請求項２】
信号Ｂ［Ａ（ｍ）］が信号Ａ（ｍ＋１）であり、Ａ（ｍ＋１）がＡに対してｍ＋１遅延単位だけ遅延されている、
請求項１のＴＤＣ。
【請求項３】
各遅延単位が１つの単位バッファの遅延に対応する、
請求項２のＴＤＣ。
【請求項４】
前記単位バッファが１つのインバータである、
請求項３のＴＤＣ。
【請求項５】
前記サンプリング機構が差動型Ｄ−Ｑフリップフロップであり、前記信号Ａ（ｎ）が前記Ｄ−ＱフリップフロップのＤ入力に接続されており、前記信号Ｂが前記Ｄ−ＱフリップフロップのＤ´入力に接続されている、
請求項１のＴＤＣ。
【請求項６】
前記フリップフロップが、前記差動入力Ｄ／Ｄ´の電圧極性をサンプリングする、
請求項５のＴＤＣ。
【請求項７】
前記遅延ラインが信号Ａの複数の遅延された形態Ａ（ｎ）をさらに生成し、前記サンプリング機構が各信号Ａ（ｎ）と対応する信号Ｂ［Ａ（ｎ）］との間の差分をさらにサンプリングし、各Ｂ［Ａ（ｎ）］が前記対応するＡ（ｎ）に対して少なくとも１遅延単位だけ遅延されている、
請求項５のＴＤＣ。
【請求項８】
信号Ａに相補な信号Ａ´複数の遅延された形態Ａ´（ｎ）を生成するための相補的遅延ラインをさらに具備し、前記ＴＤＣが各信号Ａ（ｎ）と対応する信号Ａ´（ｎ）との間の差分をサンプリングのための複数の差動型のＤ−Ｑフリップフロップをさらに具備する、
請求項７のＴＤＣ。
【請求項９】
前記相補的遅延ラインが、前記遅延ラインの負荷を前記相補的遅延ラインの負荷と平衡させるための少なくとも１つの負荷に接続されている、
請求項８のＴＤＣ。
【請求項１０】
信号Ａの少なくとも１つの遅延された形態Ａ（ｍ）を生成することであって、Ａ（ｍ）はＡに対してｍ遅延単位（unit）だけ遅延されている、生成することと、
Ａ（ｍ）と信号Ｂ［Ａ（ｍ）］との間のある時刻における差分をサンプリングすることであって、Ｂ［Ａ（ｍ）］はＡに対して少なくとも１遅延単位だけ遅延されている、サンプリングすることと、
を具備する、時間間隔をディジタル表現に変換するための方法。
【請求項１１】
信号Ｂ［Ａ（ｍ）］が信号Ａ（ｍ＋１）であり、Ａ（ｍ＋１）がＡに対してｍ＋１遅延単位だけ遅延されている、
請求項１０の方法。
【請求項１２】
各遅延単位が１つの単位バッファの遅延に対応する、
請求項１１の方法。
【請求項１３】
前記単位バッファが１つのインバータである、
請求項１２の方法。
【請求項１４】
前記サンプリングすることが差動型Ｄ−Ｑフリップフロップによって実行され、前記信号Ａ（ｎ）が前記Ｄ−ＱフリップフロップのＤ入力に接続されており、前記信号Ｂが前記Ｄ−ＱフリップフロップのＤ´入力に接続されている、
請求項１０の方法。
【請求項１５】
前記フリップフロップが、前記差動入力Ｄ／Ｄ´の電圧極性をサンプリングする、
請求項１４の方法。
【請求項１６】
信号Ａの複数の遅延された形態Ａ（ｎ）を生成することをさらに具備し、前記サンプリング機構が各信号Ａ（ｎ）と対応する信号Ｂ［Ａ（ｎ）］との間の差分をさらにサンプリングし、各Ｂ［Ａ（ｎ）］が前記対応するＡ（ｎ）に対して少なくとも１遅延単位だけ遅延されている、
請求項１４の方法。
【請求項１７】
信号Ａに相補な信号Ａ´複数の遅延された形態Ａ´（ｎ）を生成することをさらに具備し、各信号Ａ（ｎ）と対応する信号Ａ´（ｎ）との間の差分をサンプリングすることをさらに具備する、
請求項１６の方法。
【請求項１８】
少なくとも１つの負荷を前記信号Ａ´（ｎ）を生成するための遅延ラインに接続して前記遅延ラインを複数の信号Ａ（ｎ）を生成するための遅延ラインの負荷と平衡させることをさらに具備する、
請求項１７の方法。
【請求項１９】
信号Ａの少なくとも１つの遅延された形態Ａ（ｍ）を生成するための手段であって、Ａ（ｍ）はＡに対してｍ遅延単位（unit）だけ遅延されている、生成するための手段と、
Ａ（ｍ）と信号Ｂ［Ａ（ｍ）］との間のある時刻における差分をサンプリングするための手段であって、Ｂ［Ａ（ｍ）］はＡに対して少なくとも１遅延単位だけ遅延されている、サンプリングするための手段と、
を具備する、時間ディジタル・コンバータ（ＴＤＣ）。
【請求項２０】
信号Ｂ［Ａ（ｍ）］が信号Ａ（ｍ＋１）であり、Ａ（ｍ＋１）がＡに対してｍ＋１遅延単位だけ遅延されている、
請求項１９のＴＤＣ。
【請求項２１】
各遅延単位が１つの単位バッファの遅延に対応する、
請求項２０のＴＤＣ。
【請求項２２】
前記単位バッファが１つのインバータである、
請求項２１のＴＤＣ。
【請求項２３】
前記差分をサンプリングするための手段がＤ−Ｑフリップフロップを具備し、前記信号Ａ（ｎ）が前記Ｄ−ＱフリップフロップのＤ入力に接続されており、前記信号Ｂが前記Ｄ−ＱフリップフロップのＤ´入力に接続されている、
請求項１９のＴＤＣ。
【請求項２４】
コンピュータに、信号Ａの少なくとも１つの遅延された形態Ａ（ｍ）を生成させるためのコードであって、Ａ（ｍ）はＡに対してｍ遅延単位（unit）だけ遅延されている、生成させるためのコードと、
コンピュータに、Ａ（ｍ）と信号Ｂ［Ａ（ｍ）］との間のある時刻における差分をサンプリングさせるためのコードであって、Ｂ［Ａ（ｍ）］はＡに対して少なくとも１遅延単位だけ遅延されている、サンプリングさせるためのコードと、
を具備するコンピュータ可読媒体を具備する、時間間隔をディジタル表現に変換するためのコンピュータ・プログラム製品。
【請求項２５】
信号Ｂ［Ａ（ｍ）］が信号Ａ（ｍ＋１）であり、
前記コンピュータ可読媒体が、Ａ（ｍ＋１）をＡに対してｍ＋１遅延単位だけ遅延させるためのコードをさらに具備する、
請求項２４のコンピュータ・プログラム製品。
【請求項２６】
各遅延単位が１つの単位バッファの遅延に対応する、
請求項２５のコンピュータ・プログラム製品。
【請求項２７】
前記コンピュータに差分をサンプリングさせるためのコードが、
前記サンプリングを差動型Ｄ−Ｑフリップフロップによって実行させ、
前記信号Ａ（ｎ）を前記Ｄ−ＱフリップフロップのＤ入力に接続し、
前記信号Ｂを前記Ｄ−ＱフリップフロップのＤ´入力に接続する、
ためのコードを具備する、
請求項２４のコンピュータ・プログラム製品。
【請求項２８】
前記コンピュータ可読媒体が、
コンピュータに、信号Ａの複数の遅延された形態Ａ（ｎ）を生成させるためのコードであって、各Ｂ［Ａ（ｎ）］が前記対応するＡ（ｎ）に対して少なくとも１遅延単位だけ遅延されている、生成させるためのコードをさらに具備する、
請求項２７のコンピュータ・プログラム製品。